(57)【要約】【課題】ユーザが感じる表示のちらつきを好適に低減する車載表示装置を提供する。【解決手段】ヘッドアップディスプレイ２のＭＣＵ６６は、車両Ｖｅの運転者に向けて画像を構成する光を反射するコンバイナ９に対し、運転者が視線を向けていないことを視線情報Ｉｅに基づき検出する。そして、ＭＣＵ６６は、運転者がコンバイナ９に視線を向けていない状態であることを検出した場合に、画像輝度Ｄｂを外光の明るさによらずに設定することで、上記状態の非検出時よりも、光のちらつき成分を減じさせる。【選択図】図５
2015101189.tif 000002
【特許請求の範囲】
【請求項１】
車両の運転者に向けて画像を構成する光を射出または反射する表示面に対し、前記運転者が視線を向けていない、または向けにくい状態であることを検出する検出手段と、
前記表示面により射出または反射される光の状態を制御する制御手段と、を備え、
前記制御手段は、前記検出手段により前記運転者が前記表示面に視線を向けていない、または向けにくい状態であることを検出した場合に、前記状態の非検出時よりも前記光のちらつき成分を減じさせることを特徴とする車載表示装置。
【請求項２】
外光の明るさを検出する外光検出手段をさらに備え、
前記制御手段は、前記状態の非検出時には、前記外光の明るさに応じて、前記表示面により表示される画像の輝度を変化させ、前記状態の検出時には、前記輝度を前記外光の明るさに応じて変化させないことを特徴とする請求項１に記載の車載表示装置。
【請求項３】
前記制御手段は、前記表示面に対し、前記光を走査する場合に、前記状態の検出時には、前記状態の非検出時よりも、リフレッシュレートを高くすることを特徴とする請求項１または２に記載の車載表示装置。
【請求項４】
前記検出手段は、前記運転者を撮影した画像に基づき、前記運転者が視線を前記表示面に視線を向けていない状態であることを検出することを特徴とする請求項１乃至３のいずれか一項に記載の車載表示装置。
【請求項５】
前記検出手段は、前記車両が走行中の道路の運転のし易さに基づき、前記運転者が視線を前記表示面に向けにくい状態であるか否かを判定することを特徴とする請求項１乃至３のいずれか一項に記載の車載表示装置。
【請求項６】
請求項１乃至５のいずれか一項に記載の車載表示装置と、
車両の運転者に向けて画像を構成する光を反射することで、前記運転者に虚像を視認させる表示面と、を備えることを特徴とするヘッドアップディスプレイ。
【請求項７】
車両表示装置が実行する制御方法であって、
車両の運転者に向けて画像を構成する光を射出または反射する表示面に対し、前記運転者が視線を向けていない、または向けにくい状態であることを検出する検出工程と、
前記表示面により射出または反射される光の状態を制御する制御工程と、を有し、
前記制御工程は、前記検出工程により前記運転者が前記表示面に視線を向けていない、または向けにくい状態であることを検出した場合に、前記状態の非検出時よりも前記光のちらつき成分を減じさせることを特徴とする制御方法。
【請求項８】
コンピュータが実行するプログラムであって、
車両の運転者に向けて画像を構成する光を射出または反射する表示面に対し、前記運転者が視線を向けていない、または向けにくい状態であることを検出する検出手段と、
前記表示面により射出または反射される光の状態を制御する制御手段
として前記コンピュータを機能させ、
前記制御手段は、前記検出手段により前記運転者が前記表示面に視線を向けていない、または向けにくい状態であることを検出した場合に、前記状態の非検出時よりも前記光のちらつき成分を減じさせることを特徴とするプログラム。
【請求項９】
請求項８に記載のプログラムを記憶したことを特徴とする記憶媒体。
【発明の詳細な説明】
【技術分野】
【０００１】
本発明は、表示のちらつきを低減する技術に関する。
【背景技術】
【０００２】
従来から、車載用の表示装置において、外光の影響による視認性の低下を補うため、外光に応じて、表示画面の輝度を変化させる技術が存在する。例えば、特許文献１には、明るさを検知するためのセンサを設けることなく、使用時刻や走行場所に応じて表示装置の明るさを自動調整する車載用表示装置が開示されている。また、特許文献２には、光センサにより検出された外光の明るさと、表示部の表示特性を設定するために入力された入力値とに基づいて、表示部を制御することが可能な情報表示装置が開示されている。
【先行技術文献】
【特許文献】
【０００３】
【特許文献１】特開平１１−１８４４４６号公報
【特許文献２】特開平１１−３１６５６６号公報
【発明の概要】
【発明が解決しようとする課題】
【０００４】
特許文献１及び特許文献２に記載の表示装置では、ユーザの視線の向きによらずに、画面の明るさが制御される。しかしながら、一般に、直視していない状態で表示装置が視界に入る場合には、表示装置を直視している場合と比較して、ユーザは、表示装置によるちらつきを敏感に感じやすくなる傾向がある。特許文献１及び特許文献２には、上記の問題点については、何ら検討されていない。
【０００５】
本発明は、上記のような課題を解決するためになされたものであり、ユーザが感じる表示のちらつきを好適に低減させることが可能な車載表示装置及びヘッドアップディスプレイを提供することを主な目的とする。
【課題を解決するための手段】
【０００６】
請求項に記載の発明は、車載表示装置であって、車両の運転者に向けて画像を構成する光を射出または反射する表示面に対し、前記運転者が視線を向けていない、または向けにくい状態であることを検出する検出手段と、前記表示面により射出または反射される光の状態を制御する制御手段と、を備え、前記制御手段は、前記検出手段により前記運転者が前記表示面に視線を向けていない、または向けにくい状態であることを検出した場合に、前記状態の非検出時よりも前記光のちらつき成分を減じさせることを特徴とする。
【０００７】
また、請求項に記載の発明は、車両表示装置が実行する制御方法であって、車両の運転者に向けて画像を構成する光を射出または反射する表示面に対し、前記運転者が視線を向けていない、または向けにくい状態であることを検出する検出工程と、前記表示面により射出または反射される光の状態を制御する制御工程と、を有し、前記制御工程は、前記検出工程により前記運転者が前記表示面に視線を向けていない、または向けにくい状態であることを検出した場合に、前記状態の非検出時よりも前記光のちらつき成分を減じさせることを特徴とする。
【０００８】
また、請求項に記載の発明は、コンピュータが実行するプログラムであって、車両の運転者に向けて画像を構成する光を射出または反射する表示面に対し、前記運転者が視線を向けていない、または向けにくい状態であることを検出する検出手段と、前記表示面により射出または反射される光の状態を制御する制御手段として前記コンピュータを機能させ、前記制御手段は、前記検出手段により前記運転者が前記表示面に視線を向けていない、または向けにくい状態であることを検出した場合に、前記状態の非検出時よりも前記光のちらつき成分を減じさせることを特徴とする。
【図面の簡単な説明】
【０００９】
【図１】第１実施例に係る表示システムの概略構成を示す。
【図２】ナビゲーション装置の概略構成を示す。
【図３】ヘッドアップディスプレイの概略構成を示す。
【図４】光源ユニットの概略構成を示す。
【図５】第１実施例で実行する処理を示すフローチャートを示す。
【図６】第２実施例で実行する処理を示すフローチャートを示す。
【発明を実施するための形態】
【００１０】
本発明の１つの好適な実施形態では、車両の運転者に向けて画像を構成する光を射出または反射する表示面に対し、前記運転者が視線を向けていない、または向けにくい状態であることを検出する検出手段と、前記表示面により射出または反射される光の状態を制御する制御手段と、を備え、前記制御手段は、前記検出手段により前記運転者が前記表示面に視線を向けていない、または向けにくい状態であることを検出した場合に、前記状態の非検出時よりも前記光のちらつき成分を減じさせる。
【００１１】
上記車載表示装置は、検出手段と、制御手段とを備える。検出手段は、車両の運転者に向けて画像を構成する光を射出または反射する表示面に対し、運転者が視線を向けていない、または向けにくい状態であることを検出する。制御手段は、表示面により射出または反射される光の状態を制御する。さらに、制御手段は、検出手段により運転者が表示面に視線を向けていない、または向けにくい状態であることを検出した場合に、その状態の非検出時よりも光のちらつき成分を減じさせる。これにより、車載表示装置は、視線方向以外の視覚である周辺視で表示面をユーザが視認する場合にユーザが感じるちらつきを好適に抑制することができる。
【００１２】
上記車載表示装置の一態様では、外光の明るさを検出する外光検出手段をさらに備え、前記制御手段は、前記状態の非検出時には、前記外光の明るさに応じて、前記表示面により表示される輝度を変化させ、前記状態の検出時には、前記輝度を前記外光の明るさに応じて変化させない。一般に、ユーザが視線方向で捉えていない表示の明るさが変化した場合には、ユーザはちらつきを感じやすい。従って、この態様により、車載表示装置は、周辺視で表示面をユーザが視認する場合に、表示面により表示される画像の輝度の変化を抑制することで、ユーザが感じるちらつきを好適に抑制することができる。また、車載表示装置は、ユーザが表示面を直視している場合には、外光の明るさに応じて表示面により表示される画像の輝度を変化させることで、視認性を向上させることができる。
【００１３】
上記車載表示装置の他の一態様では、前記制御手段は、前記表示面に対し、前記光を走査する場合に、前記状態の検出時には、前記状態の非検出時よりも、リフレッシュレートを高くする。この態様により、車載表示装置は、周辺視で表示面をユーザが視認する場合に、リフレッシュレートを高くし、ユーザが感じるちらつきを好適に抑制することができる。
【００１４】
上記車載表示装置の他の一態様では、前記検出手段は、前記運転者を撮影した画像に基づき、前記運転者が視線を前記表示面に視線を向けていない状態であることを検出する。この態様により、車載表示装置は、運転者が表示面に視線を向けていない状態であるか否かを好適に判定することができる。
【００１５】
上記車載表示装置の他の一態様では、前記検出手段は、前記車両が走行中の道路の運転のし易さに基づき、前記運転者が視線を前記表示面に向けにくい状態であるか否かを判定する。この態様により、車載表示装置は、運転者が表示面に視線を向けにくい状態であるか否かを好適に判定することができる。
【００１６】
本発明の他の好適な実施形態では、ヘッドアップディスプレイは、上記いずれか記載の車載表示装置と、車両の運転者に向けて画像を構成する光を反射することで、運転者に虚像を視認させる表示面と、を備える。ヘッドアップディスプレイでは、表示面での表示が常に運転中のユーザの視野内にあるため、運転中のユーザは、表示のちらつきを煩わしく感じる場合が多くなる。この場合であっても、運転者が表示面に視線を向けていない、または向けにくい状態であることを検出した場合に、その状態の非検出時よりも光のちらつき成分を減じさせることで、周辺視で表示面をユーザが視認する場合にユーザが感じるちらつきを好適に抑制することができる。
【００１７】
本発明のさらに別の実施形態では、車両表示装置が実行する制御方法であって、車両の運転者に向けて画像を構成する光を射出または反射する表示面に対し、前記運転者が視線を向けていない、または向けにくい状態であることを検出する検出工程と、前記表示面により射出または反射される光の状態を制御する制御工程と、を有し、前記制御工程は、前記検出工程により前記運転者が前記表示面に視線を向けていない、または向けにくい状態であることを検出した場合に、前記状態の非検出時よりも前記光のちらつき成分を減じさせる。車両表示装置は、この制御方法を実行することで、周辺視で表示面をユーザが視認する場合にユーザが感じるちらつきを好適に抑制することができる。
【００１８】
本発明のさらに別の実施形態では、コンピュータが実行するプログラムであって、車両の運転者に向けて画像を構成する光を射出または反射する表示面に対し、前記運転者が視線を向けていない、または向けにくい状態であることを検出する検出手段と、前記表示面により射出または反射される光の状態を制御する制御手段として前記コンピュータを機能させ、前記制御手段は、前記検出手段により前記運転者が前記表示面に視線を向けていない、または向けにくい状態であることを検出した場合に、前記状態の非検出時よりも前記光のちらつき成分を減じさせる。コンピュータは、このプログラムを実行することで、周辺視で表示面をユーザが視認する場合にユーザが感じるちらつきを好適に抑制することができる。好適には、上記プログラムは、記憶媒体に記憶される。
【実施例】
【００１９】
以下、図面を参照して本発明の好適な第１及び第２実施例について説明する。
【００２０】
［第１実施例］
（１）システム構成
図１は、第１実施例に係る表示システム１００の構成例を示す。図１に示すように、表示システム１００は、車両Ｖｅに搭載され、ナビゲーション装置１と、ヘッドアップディスプレイ２と、カメラ６と、外光センサ７とを備える。なお、図１に示す構成に代えて、ヘッドアップディスプレイ２には、ナビゲーション装置１に相当する機能が組み込まれていてもよい。
【００２１】
ナビゲーション装置１は、出発地から目的地までの経路案内を行う機能などを有する。ナビゲーション装置１は、例えば、車両Ｖｅに設置される据え置き型のナビゲーション装置、ＰＮＤ（Ｐｏｒｔａｂｌｅ  Ｎａｖｉｇａｔｉｏｎ  Ｄｅｖｉｃｅ）、又はスマートフォンなどの携帯端末とすることができる。
【００２２】
ヘッドアップディスプレイ２は、現在位置を含む地図情報や経路案内情報、走行速度、その他運転を補助する情報を表示する画像を生成し、当該画像を運転者の目の位置（アイポイント）から虚像として視認させる装置である。ヘッドアップディスプレイ２には、車両の位置、車両の走行速度、地図情報、及び施設データなどのナビゲーション処理に用いられる各種情報がナビゲーション装置１から供給される。なお、ヘッドアップディスプレイ２は、上述の画像を生成する代わりに、ナビゲーション装置１が生成した画像を受信し、当該画像を虚像として運転者に視認させてもよい。
【００２３】
カメラ６は、運転者に向けられた状態で設置され、運転者を撮影した画像（「撮影画像Ｉｍ」とも呼ぶ。）を生成し、ヘッドアップディスプレイ２に供給する。外光センサ７は、外光の明るさ（照度）を示す検出信号（「検出信号Ｓｄ」とも呼ぶ。）をヘッドアップディスプレイ２に供給する。
【００２４】
なお、ナビゲーション装置１がスマートフォンなどの携帯端末である場合、ナビゲーション装置１は、クレードルなどによって保持されても良い。この場合、ナビゲーション装置１は、クレードルなどを介して、ヘッドアップディスプレイ２と情報の授受を行うこととしても良い。
【００２５】
（２）ナビゲーション装置の構成
図２は、ナビゲーション装置１の構成を示す。図２に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、インタフェース３９、表示ユニット４０、音声出力ユニット５０、及び入力装置６０を備える。
【００２６】
自立測位装置１０は、加速度センサ１１、角速度センサ１２及び距離センサ１３を備える。加速度センサ１１は、例えば圧電素子からなり、車両Ｖｅの加速度を検出し、加速度データを出力する。角速度センサ１２は、例えば振動ジャイロからなり、車両Ｖｅの方向変換時における車両Ｖｅの角速度を検出し、角速度データ及び相対方位データを出力する。距離センサ１３は、車両Ｖｅの車輪の回転に伴って発生されているパルス信号からなる車速パルスを計測する。
【００２７】
ＧＰＳ受信機１８は、複数のＧＰＳ衛星から、測位用データを含む下り回線データを搬送する電波１９を受信する。測位用データは、緯度及び経度情報等から車両Ｖｅの絶対的な位置（「現在位置」とも呼ぶ。）を検出するために用いられる。
【００２８】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ナビゲーション装置１全体の制御を行う。
【００２９】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００３０】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００３１】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００３２】
データ記憶ユニット３６は、例えば、ＨＤＤなどにより構成され、地図データなどのナビゲーション処理に用いられる各種データを記憶するユニットである。地図データは、道路に相当するリンクと、道路の接続部分（交差点）に相当するノードとにより表された道路データや、各施設に関する施設情報などを含む。
【００３３】
通信装置３８は、例えば、ＦＭチューナやビーコンレシーバ、携帯電話や専用の通信モジュールなどにより構成され、通信用インタフェース３７を介して、ＶＩＣＳ（登録商標、Ｖｅｈｉｃｌｅ  Ｉｎｆｏｒｍａｔｉｏｎ  Ｃｏｍｍｕｎｉｃａｔｉｏｎ  Ｓｙｓｔｅｍ）センタから配信される渋滞や交通情報などの道路交通情報、その他の情報を受信する。また、通信装置３８は、ＧＰＳ受信機１８から取得した現在位置の情報、自立測位装置１０から取得した車速パルス等の情報及び地図データなど、ナビゲーション処理に用いられる各種情報をヘッドアップディスプレイ２に送信する。
【００３４】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。
【００３５】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００３６】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式の場合、ディスプレイ４４の表示画面上に設けられたタッチパネルも入力装置６０として機能する。
【００３７】
（３）ヘッドアップディスプレイの構成
図３は、ヘッドアップディスプレイ２の概略構成図である。図３に示すように、本実施例に係るヘッドアップディスプレイ２は、光源ユニット４と、コンバイナ９とを備え、フロントウィンドウ２５、天井部２７、ボンネット２８、及びダッシュボード２９などを備える車両Ｖｅに取り付けられる。
【００３８】
光源ユニット４は、支持部材５ａ、５ｂを介して車室内の天井部２７に設置され、運転を補助する情報を示す画像を構成する光を、コンバイナ９に向けて出射する。具体的には、光源ユニット４は投影装置４５を有し、投影装置４５は、光源ユニット４内に表示像の元画像（実像）を生成し、その画像を構成する光をコンバイナ９へ出射することで、コンバイナ９を介して運転者に虚像「Ｉｖ」を視認させる。
【００３９】
コンバイナ９は、光源ユニット４から出射される表示像が投影されると共に、表示像を運転者のアイポイント「Ｐｅ」へ反射することで当該表示像を虚像Ｉｖとして表示させる。そして、コンバイナ９は、天井部２７に設置された支持軸部８を有し、支持軸部８を支軸として回動する。支持軸部８は、例えば、フロントウィンドウ２５の上端近傍の天井部２７、言い換えると運転者用の図示しないサンバイザが設置される位置の近傍に設置される。なお、支持軸部８は、上述のサンバイザに代えて設置されてもよい。コンバイナ９の反射面は、本発明における「表示面」の一例である。
【００４０】
また、図３の例では、カメラ６及び外光センサ７は、一体となってダッシュボード２９上に載置されている。そして、カメラ６及び外光センサ７は、撮影画像Ｉｍや検出信号Ｓｄを、有線又は無線により、光源ユニット４に送信する。
【００４１】
（４）投影部の構成
図４は、第１実施例に係る投影装置４５の構成を示す。図４に示すように、投影装置４５は、画像信号入力部６２と、ビデオＡＳＩＣ６３と、ＭＣＵ（Ｍｉｃｒｏ  Ｃｏｎｔｒｏｌ  Ｕｎｉｔ）６６と、視線認識部６７と、レーザドライバＩＣ７０と、ＭＥＭＳミラー制御部８０と、フレームメモリ８４と、ＲＯＭ８５と、ＲＡＭ８６と、レーザ光源部９０と、スクリーン９４とを備える。投影装置４５は、本発明における「車載表示装置」の一例である。
【００４２】
画像信号入力部６２は、ナビゲーション装置１から光源ユニット４が受信した案内経路の情報等に基づき、案内画像を示す画像信号を生成し、ビデオＡＳＩＣ６３に出力する。ビデオＡＳＩＣ６３は、画像信号入力部６２から入力される画像信号、及びレーザ光源部９０内のＭＥＭＳミラー９５から入力される走査位置情報に基づいて、レーザドライバＩＣ７０やＭＥＭＳミラー制御部８０を制御するブロックであり、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）として構成されている。ビデオＡＳＩＣ６３は、映像処理部６４と、タイミングコントローラ６５と、を備える。
【００４３】
映像処理部６４は、画像信号入力部６２から入力された画像信号から、画像表示部に表示される画像データと同期信号とを分離し、画像信号に含まれるフレームごとの画像データをフレームメモリ８４へ書き込む。また、映像処理部６４は、フレームメモリ８４に書き込まれた画像データを読み出してビットデータに変換し、変換したビットデータを、各レーザの発光パターンを表す信号に変換する。タイミングコントローラ６５は、映像処理部６４の動作タイミングを制御する。また、タイミングコントローラ６５は、ＭＥＭＳミラー制御部８０を介してＭＥＭＳミラー９５の動作タイミングも制御する。
【００４４】
フレームメモリ８４には、映像処理部６４により分離された画像データが書き込まれる。ＲＯＭ８５は、ビデオＡＳＩＣ６３が動作するための制御プログラムやデータなどを記憶している。ＲＡＭ８６には、ビデオＡＳＩＣ６３が動作する際のワークメモリとして、各種データが逐次読み書きされる。
【００４５】
レーザドライバＩＣ７０は、レーザ光源部９０に設けられるレーザダイオード（ＬＤ）を駆動する信号を生成するブロックであり、ＩＣ（Ｉｎｔｅｇｒａｔｅｄ  Ｃｉｒｃｕｉｔ）として構成されている。レーザドライバＩＣ７０は、赤色レーザ駆動回路７１と、緑色レーザ駆動回路７２と、青色レーザ駆動回路７３と、を備える。赤色レーザ駆動回路７１は、映像処理部６４が出力する信号に基づいて赤色レーザＬＤ１を駆動し、緑色レーザ駆動回路７２は、映像処理部６４が出力する信号に基づいて緑色レーザＬＤ２を駆動し、青色レーザ駆動回路７３は、映像処理部６４が出力する信号に基づいて青色レーザＬＤ３を駆動する。
【００４６】
ＭＥＭＳミラー（Ｍｉｃｒｏ  Ｅｌｅｃｔｒｏ  Ｍｅｃｈａｎｉｃａｌ  Ｓｙｓｔｅｍｓ）制御部８０は、タイミングコントローラ６５が出力する信号に基づきＭＥＭＳミラー９５を制御する。ＭＥＭＳミラー制御部８０は、サーボ回路８１と、ドライバ回路８２と、を備える。サーボ回路８１は、タイミングコントローラ６５からの信号に基づき、ＭＥＭＳミラー９５の動作を制御する。ドライバ回路８２は、サーボ回路８１が出力するＭＥＭＳミラー９５の制御信号を所定レベルに増幅して出力する。
【００４７】
レーザ光源部９０は、レーザドライバＩＣ７０から出力される駆動信号に基づいて、レーザ光を出射する。具体的には、レーザ光源部９０は、主に、赤色レーザＬＤ１と、緑色レーザＬＤ２と、青色レーザＬＤ３と、コリメータレンズ９１ａ〜９１ｃと、ダイクロイックミラー９２ａ〜９２ｃと、ＭＥＭＳミラー９５と、を備える。
【００４８】
赤色レーザＬＤ１は赤色レーザ光を出射し、緑色レーザＬＤ２は緑色レーザ光を出射し、青色レーザＬＤ３は青色レーザ光を出射する。なお、以下では、赤色レーザＬＤ１、緑色レーザＬＤ２及び青色レーザＬＤ３を区別しないで用いる場合には、単に「レーザＬＤ」と表記し、赤色レーザ光、緑色レーザ光及び青色レーザ光を区別しないで用いる場合には、単に「レーザ光」と表記する。また、本明細書では、レーザ光のことを適宜「ビーム」と表記する。
【００４９】
コリメータレンズ９１ａ、９１ｂ、９１ｃは、それぞれ、赤色レーザ光、緑色レーザ光及び青色レーザ光を平行光にして、ダイクロイックミラー９２ａ〜９２ｃに出射する。ダイクロイックミラー９２ｂは、緑色レーザ光を反射させ、ダイクロイックミラー９２ａは、緑色レーザ光を透過させ、赤色レーザ光を反射させる。そして、ダイクロイックミラー９２ｃは、青色レーザ光のみを透過させ、緑色レーザ光及び赤色レーザ光を反射させる。こうしてダイクロイックミラー９２ｃを透過した青色レーザ光及びダイクロイックミラー９２ｃで反射された緑色レーザ光及び赤色レーザ光は、ＭＥＭＳミラー９５に入射される。
【００５０】
ＭＥＭＳミラー９５は、上記のようにしてダイクロイックミラー９２ｃを介して入射されたビーム（レーザ光）を、スクリーン９４に向けて反射させる。具体的には、ＭＥＭＳミラー９５は、画像信号入力部６２に入力された画像に対応して、連続する複数のフレームにより構成される画像を表示させるべく、ＭＥＭＳミラー制御部８０の制御により、ビームによってスクリーン９４を走査するように動作する。また、ＭＥＭＳミラー９５は、その際の走査位置情報（例えばミラーの角度などの情報）をビデオＡＳＩＣ６３へ出力する。
【００５１】
より詳しくは、ＭＥＭＳミラー９５は、表示すべき画像を形成する走査線の方向に沿った方向（画像における横方向に相当し、以下では「主走査方向」と呼ぶ。）にビームを走査するように揺動する。これにより、表示すべき画像を構成する走査線が生成される。これと同時に、ＭＥＭＳミラー９５は、走査線の方向に垂直な方向（画像における縦方向に相当すると共に主走査方向に直交する方向であり、以下では「副走査方向」と呼ぶ。）にビームを走査するように揺動する。これにより、副走査方向に並んだ所定数の走査線が生成される。以上のようにＭＥＭＳミラー９５が揺動することで、動画などを構成する一枚の画像（つまりフレーム）が形成される。ＭＥＭＳミラー９５は、このようにして１つのフレームの走査を終えると、次のフレームの走査を開始し、投影するフレームを順次リフレッシュする。このリフレッシュの単位時間あたりの頻度を「リフレッシュレート」と呼ぶ。
【００５２】
スクリーン９４は、ＭＥＭＳミラー９５で反射されたビームが入射される。したがって、上記したようなＭＥＭＳミラー９５の動作により、スクリーン９４上でビームによる走査がなされることとなる。例えば、スクリーン９４は、表示すべき画像の中間像を形成するよう機能する。１つの例では、スクリーン９４として、ＥＰＥ（Ｅｘｉｔ−Ｐｕｐｉｌ  Ｅｘｐａｎｄｅｒ）などの拡散板を適用することができる。
【００５３】
視線認識部６７は、カメラ６から供給される撮影画像Ｉｍに基づき、撮影画像Ｉｍ内の運転者の顔が表示された領域を解析することで、運転者の視線方向を示す情報（「視線情報Ｉｅ」とも呼ぶ。）を生成する。この場合、例えば、視線認識部６７は、公知の視線検出技術により運転者の視線を検出し、視線情報Ｉｅを生成する。そして、視線認識部６７は、視線情報ＩｅをＭＣＵ６６へ供給する。
【００５４】
ＭＣＵ６６は、視線認識部６７から受信する視線情報Ｉｅと、外光センサ７から受信する検出信号Ｓｄとに基づき、ビデオＡＳＩＣ６３内の映像処理部６４に対する制御を行う。本実施例では、ＭＣＵ６６は、視認性向上のため、検出信号Ｓｄが示す外光の明るさに応じて、投影する画像の輝度（「画像輝度Ｄｂ」とも呼ぶ。）が変化するように、ビデオＡＳＩＣ６３などを制御する。また、ＭＣＵ６６は、視線認識部６７から供給される視線情報Ｉｅに応じて、上述の検出信号Ｓｄに基づく画像輝度Ｄｂの自動調整の有無を切り替える。ＭＣＵ６６が行う制御の詳細は後述する。なお、ＭＣＵ６６は、本発明における「検出手段」、「制御手段」、「外光検出手段」、及び「コンピュータ」の一例である。
【００５５】
（５）画像輝度の調整
次に、第１実施例においてＭＣＵ６６が実行する画像輝度Ｄｂの調整方法について説明する。概略的には、ＭＣＵ６６は、視線情報Ｉｅに基づき、運転者の視線がコンバイナ９により表示された画像（単に「表示画像」とも呼ぶ。）に向いていないと判断した場合には、検出信号Ｓｄに基づく画像輝度Ｄｂの自動調整を行わない。これにより、ＭＣＵ６６は、運転者が前方風景を見て運転に集中しているときに、表示画像のちらつきが目立つのを好適に抑制する。
【００５６】
一般に、人間の視角特性においては、視線方向の視覚である中心視で点滅する光（フリッカー光）を捉えた場合と、視野方向以外の視覚である周辺視でフリッカー光を捉えた場合とでは、周辺視の方が点滅によるちらつきを敏感に感じることが知られている。従って、ユーザの視線の方向にない表示の明るさが変化した場合には、ユーザは、当該表示のちらつきを感じやすい。特に、ヘッドアップディスプレイ２により表示される画像は、常に運転中のユーザの視野内に表示されるため、運転中のユーザは、表示画像のちらつきを煩わしく感じる場合が多くなる。
【００５７】
以上を勘案し、ＭＣＵ６６は、運転者の視線が表示画像に向いていないと判断した場合に、検出信号Ｓｄに基づく画像輝度Ｄｂの自動調整を行わない。これにより、運転者が前方風景を見て運転に集中しているときに、画像輝度Ｄｂの切り替えに起因して表示画像のちらつきが目立つのを好適に抑制することができる。
【００５８】
図５は、第１実施例においてＭＣＵ６６が実行する画像輝度Ｄｂの調整処理を示すフローチャートである。ＭＣＵ６６は、図５に示すフローチャートの処理を繰り返し実行する。
【００５９】
まず、ＭＣＵ６６は、撮影画像Ｉｍに基づき視線認識部６７が生成した視線情報Ｉｅを取得する（ステップＳ１０１）。次に、ＭＣＵ６６は、視線情報Ｉｅに基づき、表示画像に運転者の視線が向けられているか否か判定する（ステップＳ１０２）。例えば、ＭＣＵ６６は、運転者が表示画像に視線を向けている場合の視線方向の情報を予め記憶しておき、視線情報Ｉｅが示す視線方向と、予め記憶した視線方向とを比較することで、表示画像に運転者の視線が向けられているか否か判定する。
【００６０】
そして、ＭＣＵ６６は、表示画像に運転者の視線が向けられていると判断した場合（ステップＳ１０２；Ｙｅｓ）、検出信号Ｓｄが示す外光の明るさに応じて、画像輝度Ｄｂを自動調整する（ステップＳ１０３）。例えば、ＭＣＵ６６は、外光が明るいほど画像輝度Ｄｂを上げることで、外光の明るさに応じて表示画像を好適に見やすくすることができる。
【００６１】
一方、表示画像に運転者の視線が向けられていない場合（ステップＳ１０２；Ｎｏ）、ＭＣＵ６６は、外光の明るさによらず、画像輝度Ｄｂを所定値に固定する（ステップＳ１０４）。この場合、ＭＣＵ６６は、最後にステップＳ１０３の処理を実行したときに設定されていた画像輝度Ｄｂの輝度値に画像輝度Ｄｂを固定してもよく、予め設定された輝度値に画像輝度Ｄｂを固定してもよい。後者の場合、ＭＣＵ６６は、画像輝度Ｄｂを比較的低い値（例えば最大輝度の２０％）に設定することで、表示画像を目立たなくしてもよい。これにより、ＭＣＵ６６は、画像輝度Ｄｂの切り替えに起因した表示画像のちらつきを抑制し、運転者に運転を集中させることができる。
【００６２】
以上説明したように、第１実施例に係るヘッドアップディスプレイ２のＭＣＵ６６は、車両Ｖｅの運転者に向けて画像を構成する光を反射するコンバイナ９に対し、運転者が視線を向けていないことを視線情報Ｉｅに基づき検出する。そして、ＭＣＵ６６は、運転者がコンバイナ９に視線を向けていない状態であることを検出した場合に、画像輝度Ｄｂを外光の明るさによらずに設定することで、上記状態の非検出時よりも、光のちらつき成分を減じさせる。これにより、周辺視で表示画像をユーザが視認する場合にユーザが感じるちらつきを好適に抑制することができる。
【００６３】
［第２実施例］
第２実施例では、ＭＣＵ６６は、画像輝度Ｄｂの自動調整の有無の切り替えに代えて、又はこれに加えて、リフレッシュレートの切り替えを行う点で、第１実施例と異なる。具体的には、第２実施例では、ＭＣＵ６６は、運転者の視線が表示画像に向いていない場合には、運転者の視線が表示画像に向いている場合よりも、リフレッシュレートを上げる。これにより、第１実施例と同様、ＭＣＵ６６は、運転者が前方風景を見て運転に集中しているときに、表示画像のちらつきが目立つのを好適に抑制する。その他、第１実施例と同様の部分については、適宜同一の符号を付し、その説明を省略する。
【００６４】
一般に、有機ＥＬディスプレイやＬＣＤなどの面発光型の表示素子、即ち、表示素子が固定画素で構成され、各固定画素が発光することで画像を表示する表示素子よりも、ＣＲＴやレーザプロジャクタなどのスキャン型の表示素子、即ち、光の点を高速にスキャンして画像を表示させる表示素子の方が、利用者はちらつきを感じ易い。そして、ヘッドアップディスプレイ２の投影装置４５は、後者のスキャン型の表示素子であるため、運転者は比較的ちらつきを感じやすい。また、第１実施例で述べたように、周辺視では、中心視と比較して、点滅によるちらつきを感じやすい。従って、ヘッドアップディスプレイ２のユーザは、中心視により表示画像を視認しているときにはちらつきを感じなくとも、周辺視により表示画像を視認しているときに、ちらつきを感じる可能性がある。
【００６５】
以上を勘案し、ＭＣＵ６６は、運転者の視線が表示画像に向いていない場合には、周辺視であっても表示画像のちらつきをユーザが感じない所定レートまで、リフレッシュレートを高くする。上述の所定レートは、例えば実験等に基づき設定され、ＭＣＵ６６等により予め記憶される。これにより、周辺視での表示画像のちらつきを好適に抑制することができる。
【００６６】
図６は、第２実施例においてＭＣＵ６６が実行する画像輝度Ｄｂの調整処理を示すフローチャートである。ＭＣＵ６６は、図６に示すフローチャートの処理を繰り返し実行する。
【００６７】
まず、ＭＣＵ６６は、第１実施例と同様、撮影画像Ｉｍに基づき視線認識部６７が生成した視線情報Ｉｅを取得する（ステップＳ２０１）。そして、ＭＣＵ６６は、視線情報Ｉｅに基づき、表示画像に運転者の視線が向けられているか否か判定する（ステップＳ２０２）。
【００６８】
そして、表示画像に運転者の視線が向けられている場合（ステップＳ２０２；Ｙｅｓ）、ＭＣＵ６６は、リフレッシュレートを通常レート（例えば６０Ｈｚ）に設定する（ステップＳ２０３）。一方、表示画像に運転者の視線が向けられていない場合（ステップＳ２０２；Ｎｏ）、ＭＣＵ６６は、リフレッシュレートを通常レートよりも高く設定する（ステップＳ２０４）。例えば、ＭＣＵ６６は、この場合、走査線の方向に沿った方向である主走査方向の走査速度と、主走査方向と垂直な副走査方向の走査速度とをそれぞれ２０％高速にすることで、リフレッシュレートを２０％（通常レートが６０Ｈｚの場合７２Ｈｚまで）上げる。これにより、周辺視での表示画像のちらつきを好適に抑制することができる。
【００６９】
なお、ちらつきを抑制する他の方法として、表示画像に運転者の視線が向けられているか否かによらず、周辺視であっても表示画像のちらつきをユーザが感じないリフレッシュレート（即ち、ステップＳ２０４で用いるリフレッシュレート）に固定する方法も考えられる。しかしながら、この場合、ＭＥＭＳミラー１２の駆動回数が増えるため、製品寿命が短くなり、かつ、消費電力が増えるおそれがある。これに対し、図６の制御方法では、ＭＣＵ６６は、リフレッシュレートを上げる期間を限定しているため、上述の問題の影響を最小限に抑制しつつ、好適に周辺視での表示画像のちらつきを抑制することができる。
【００７０】
なお、第２実施例のヘッドアップディスプレイ２は、外光の明るさに基づき画像輝度Ｄｂを自動調整する機能を有しなくともよい。また、第２実施例は、第１実施例と好適に組み合わせることができる。この場合、ＭＣＵ６６は、表示画像に運転者の視線が向けられていないと判断したときに、検出信号Ｓｄに基づく画像輝度Ｄｂの自動調整を停止すると共に、リフレッシュレートを通常レートよりも上げる。
【００７１】
以上説明したように、第２実施例に係るヘッドアップディスプレイ２のＭＣＵ６６は、車両Ｖｅの運転者に向けて画像を構成する光を反射するコンバイナ９に対し、運転者が視線を向けていないことを視線情報Ｉｅに基づき検出する。そして、ＭＣＵ６６は、運転者がコンバイナ９に視線を向けていない状態であることを検出した場合に、リフレッシュレートを通常レートより高くすることで、上記状態の非検出時よりも、光のちらつき成分を減じさせる。これにより、第１実施例と同様、周辺視で表示画像をユーザが視認する場合にユーザが感じるちらつきを好適に抑制することができる。
【００７２】
［変形例］
以下、上述の第１及び第２実施例に好適な変形例について説明する。以下の変形例は、任意に組み合わせて上述の各実施例に適用してもよい。
【００７３】
（変形例１）
第１及び第２実施例では、ＭＣＵ６６は、図５のステップＳ１０２又は図６のステップＳ２０２において、表示画像に運転者の視線が向けられていないと判断した場合に、周辺視での表示画像のちらつきを低減する処理を行った。これに代えて、ＭＣＵ６６は、運転者が表示画像に視線を向けにくい運転状態であると判断した場合に、周辺視での表示画像のちらつきを低減する処理を行ってもよい。
【００７４】
この場合、例えば、ナビゲーション装置１は、車両Ｖｅが現在走行中の道路（「走行道路」とも呼ぶ。）についての運転のし易さに関連する情報を、ヘッドアップディスプレイ２のＭＣＵ６６へ送信する。例えば、ナビゲーション装置１は、走行道路が急カーブを有する場合、走行道路の道幅が所定幅よりも細い場合、走行道路が山道である場合、又は／及び走行道路が所定角度以上の勾配を有する場合に、走行道路が運転しにくい道路であると認識し、その旨の情報をＭＣＵ６６へ送信する。そして、ＭＣＵ６６は、走行道路が運転しにくい道路である旨の情報をナビゲーション装置１から受信した場合に、運転者が運転に集中すべき状況であり、表示画像に視線を向けにくいと判断し、周辺視での表示画像のちらつきを低減する処理を行う。
【００７５】
ここで、走行道路が運転しにくい道路であるか否かをナビゲーション装置１が判定する具体的方法（第１〜第３の方法）について説明する。
【００７６】
第１の方法では、データ記憶ユニット３６は、地図データに記憶されているリンクごとに、当該リンクが示す道路が運転しにくい道路であるか否かを示すフラグ情報を、地図データとして予め記憶しておく。そして、システムコントローラ２０は、自立測位装置１０やＧＰＳ受信機１８の出力に基づき走行道路に対応するリンクを認識した場合に、当該リンクに地図データ上で関連付けられたフラグ情報を参照することで、走行道路が運転しにくい道路であるか否かを判定する。
【００７７】
第２の方法では、システムコントローラ２０は、自立測位装置１０の出力や、ＧＰＳ受信機１８による現在位置の測位履歴に基づき、走行道路が運転しにくい道路であるか否かを判断する。例えば、システムコントローラ２０は、加速度センサ１１等の出力に基づき、走行道路の道路勾配を認識し、当該勾配が所定角度以上の場合に、走行道路が運転しにくい道路であると認識する。他の例では、システムコントローラ２０は、角速度センサ１２等の出力に基づき、所定値以上の角速度を検知した場合には、車両Ｖｅが急カーブを走行中であると判断し、走行道路が運転しにくい道路であると認識する。
【００７８】
第３の方法では、第１の方法のフラグ情報に代えて、リンクごとに、当該リンクが示す道路の道幅の情報、傾斜角度の情報、又は／及びカーブの曲率の情報等をデータ記憶ユニット３６が地図データとして記憶しておく。また、データ記憶ユニット３６は、上述の道幅の情報や傾斜角度の情報等のそれぞれに対し、走行道路が運転しにくい道路であると判断される範囲（値域）を記憶しておく。そして、システムコントローラ２０は、認識した走行道路に対応するリンクに関連付けられた道幅の情報等を参照し、それらのいずれかが、走行道路が運転しにくい道路であると判断される範囲に該当する場合に、走行道路が運転しにくい道路であると認識する。
【００７９】
（変形例２）
ナビゲーション装置１は、変形例１で説明した運転のし易さに関する情報に代えて、走行道路での外光変化のし易さに関する情報をＭＣＵ６６に送信してもよい。
【００８０】
例えば、ナビゲーション装置１は、日中に林間の道路や、道路沿いに隣接して建てられたビルに挟まれた道路を車両Ｖｅが走行している場合に、走行道路が外光変化のし易い道路である旨の情報をＭＣＵ６６に送信する。そして、ＭＣＵ６６は、ナビゲーション装置１から、走行道路が外光変化のし易い道路である旨の情報を受信した場合、検出信号Ｓｄに基づく画像輝度Ｄｂの自動調整を停止する。この場合、例えば、変形例１の第１の方法と同様、地図データに記憶されているリンクごとに、外光が変化しやすい道路であるか否を示すフラグ情報を、地図データとしてデータ記憶ユニット３６が予め記憶しておく。
【００８１】
（変形例３）
図３では、ヘッドアップディスプレイ２は、コンバイナ９を有し、コンバイナ９で反射させた光源ユニット４の出射光に基づき運転者に虚像Ｉｖを視認させていた。しかし、本発明が適用可能な構成はこれに限定されない。これに代えて、ヘッドアップディスプレイ２は、コンバイナ９を有さず、フロントガラス２５で反射させた光源ユニット４の出射光に基づき運転者に虚像Ｉｖを視認させてもよい。この場合、フロントガラス２５の反射面は、本発明における「表示面」の一例である。
【００８２】
また、光源ユニット４の位置は、天井部２７に設置される場合に限定されない。これに代えて、光源ユニット４は、ダッシュボード２９上に設置されたり、ダッシュボード２９の内部に設置されたりしてもよい。ダッシュボード２９上に設置される場合、ダッシュボード２９には、コンバイナ９を設けるか、又はフロントガラス２５に光源ユニット４から直接光を反射させ運転者に虚像Ｉｖを認識させる。ダッシュボード内に設置される場合、ダッシュボード２９には、コンバイナ９又はフロントガラス２５に光を通過させるための開口部が設けられる。
【００８３】
（変形例４）
表示システム１００は、ヘッドアップディスプレイ２の表示画像を対象に、ちらつきを低減する処理を行った。しかし、本発明が適用可能な構成は、これに限定されない。例えば、これに代えて、表示システム１００は、ヘッドアップディスプレイ２を有さず、ナビゲーション装置１のシステムコントローラ２０は、ディスプレイ４４を対象に、ちらつきを低減する処理を行ってもよい。この場合であっても、運転者が前方風景に視線を向けて運転に集中している際に、ディスプレイ４４の画面がちらつくのを好適に抑制することができる。この場合、表示ユニット４０のディスプレイ４４は、本発明における「表示面」の一例である。また、ナビゲーション装置１は、本発明における「車載表示装置」の一例であり、システムコントローラ２０は、本発明における「検出手段」、「制御手段」、「外光検出手段」、及び「コンピュータ」の一例である。
【００８４】
（変形例５）
図１の表示システム１００の構成例では、カメラ６及び外光センサ７は、ヘッドアップディスプレイ２に接続されていた。これに代えて、カメラ６又は／及び外光センサ７は、ナビゲーション装置１と接続されていてもよい。
【００８５】
この場合、例えば、ナビゲーション装置１は、カメラ６又は／及び外光センサ７から受信した撮影画像Ｉｍ又は／及び検出信号Ｓｄをヘッドアップディスプレイ２の投影装置４５に転送する。他の例では、ナビゲーション装置１は、カメラ６から受信した撮影画像Ｉｍに基づき、視線認識部６７が実行する処理を行うことで視線情報Ｉｅを生成し、視線情報Ｉｅを投影装置４５に送信する。さらに別の例では、ナビゲーション装置１は、カメラ６から受信した撮影画像Ｉｍに基づき視線情報Ｉｅを生成後、さらに、表示画像のちらつきを低減する処理を行うべきか否かの判定を行い、表示画像のちらつきを低減する処理を実行すべきか否かを示す指示信号を投影装置４５に送信する。
【００８６】
このように、投影装置４５が実行する処理の一部をナビゲーション装置１が実行する場合であっても、好適に、表示システム１００は、周辺視での表示画像のちらつきを低減する処理を実行することができる。この場合、ナビゲーション装置１のシステムコントローラ２０は、本発明における「検出手段」の一例である。
【００８７】
（変形例６）
図５、６の説明では、視線認識部６７は、運転者の視線方向を示す視線情報Ｉｅを生成してＭＣＵ６６に送信し、ＭＣＵ６６は、視線情報Ｉｅに基づき運転者が表示画像に視線を向けているか否かを判定した。これに代えて、視線認識部６７は、運転者の視線方向の認識後、さらに運転者が表示画像に視線を向けているか否かを判定し、その判定結果をＭＣＵ６６に送信してもよい。この場合、ＭＣＵ６６は、運転者が表示画像に視線を向けているか否かの判定を行う必要がない。
【符号の説明】
【００８８】
１  ナビゲーション装置
２  ヘッドアップディスプレイ
４  光源ユニット
９  コンバイナ
２５  フロントガラス
２８  ボンネット
２９  ダッシュボード
１００  表示システム
【図１】
2015101189.tif 000003
【図２】
2015101189.tif 000004
【図３】
2015101189.tif 000005
【図４】
2015101189.tif 000006
【図５】
2015101189.tif 000007
【図６】
2015101189.tif 000008